(57)【要約】【課題】眼鏡フレームを提供する。【解決手段】フレーム２、パッド３及び一対のテンプル４を含み、該フレームの中段にパッド、両サイドにテンプル４を設置することで、ユーザーが使用できる形態を呈し、該テンプル４は第一層体４２及び第二層体４３を含み、該第一層体４２は第二層体４３と貼合し、且つ第一層体４２の材質はプラスティック或いは金属であり、第二層体４３の材質は繊維であり、本体を使用する際は、第二層体４３の材質により、より快適及び補助効果を提供することを特徴とする眼鏡フレーム。【選択図】  図１
0003136079.tif 000002
【実用新案登録請求の範囲】
【請求項１】
フレーム、パッド及び一対のテンプルを含み、
該フレームの中段にパッド、両サイドにテンプルを設置することで、ユーザーが使用できる形態を呈し、
該テンプルは第一層体及び第二層体を含み、該第一層体は第二層体と貼合し、且つ第一層体の材質はプラスティック或いは金属であり、第二層体の材質は繊維であり、
本体を使用する際は、第二層体の材質により、より快適及び補助効果を提供することを特徴とする眼鏡フレーム。
【請求項２】
前記テンプルの第一層体の中に第二層体を包む形態であることを特徴とする請求項1記載の眼鏡フレーム。
【請求項３】
前記第二層体はテンプルの相同する両側に位置することを特徴とする請求項1記載の眼鏡フレーム。
【請求項４】
前記第二層体はフレームの相反する両側に位置することを特徴とする請求項1記載の眼鏡フレーム。
【請求項５】
前記第二層体の材質は竹炭繊維であることを特徴とする請求項1乃至4の何れかに記載する眼鏡フレーム。
【請求項６】
前記第二層体の材質はシルバー繊維であることを特徴とする請請求項1乃至4の何れかに記載する眼鏡フレーム。
【請求項７】
該本体は第二層体の材質を介し、抗菌消臭、放熱保温、血液循環などの効果が得られることを特徴とする請求項請求項1乃至4の何れかに記載する眼鏡フレーム。
【考案の詳細な説明】
【技術分野】
【０００１】
本考案は眼鏡フレーム改良構造に関し、特に快適さを兼ね備えた人体に有益なフレーム設計の構造に関する。
【背景技術】
【０００２】
一致した公認の解釈では未だ発表されていないが、近視の原因は遺伝及び環境的要素が多いと見られている。欧米の多くの学者は、近視は純粋に遺伝であると考えるのに対し、台湾では環境は主な要素と考えられている。これらの環境的要素とは、長時間近距離での仕事が最も重要な要素であり、中でも宿題やマンガ、小説、コンピューターやゲーム、テレビを長時間見続け、戸外活動の時間が少ないことが、近視になる最大の原因である。よって、視力の矯正をサポートする眼鏡構造が案出された。
【０００３】
医学の観点からみると、正常な目とは、遠方より平行に発せられた光線が目の角膜、眼房、水晶体、ガラス体を通って屈折し、焦点が正確に網膜に集まり、網膜にてクリアな映像が映し出されることで、映像をはっきり見ることができる。近眼の焦点は、網膜の前方に集まり、映像が網膜まで到達しないため、ぼやけて見える。よって、凹レンズをかけることで、焦点を延長させて網膜に集まるようにすれば、クリアに見えるようになる。例えば200度(0.3前後)の視力の人は50センチ以内のものははっきり見えるが、正常の目と同じく遠方もはっきり見たいのであれば、200度(−2.00D)の近視めがねをかけなければならない。
【０００４】
公知の眼鏡はフレームに凹レンズをはめ込み、二本のテンプルを設置することで、ユーザーが使用できる形態を呈している。公知の眼鏡フレームの殆どが金属の材質で作られているため、外力を加えると変形しやすく、付け心地がよくないため、眼鏡フレームの改良構造を案出した。
【０００５】
公知の実用新案第M392854号『眼鏡フレーム構造の改良』は、蝶番、パッド及びフレームで構成している。蝶番の先端に窪み、窪みにねじ穴を設ける。パッドの両端にそれぞれ窪みを設置し、各窪みにねじ穴を設ける。フレームは上下に分けられ、上下のフレームの両端に連結ブロックを設け、各連結ブロックの上に穴を設ける。上述の構造の上下フレームの両端にある連結ブロックを蝶番及びパッドの窪みにセットし、固定部品を連結ブロックの穴に差込み、窪みにあるねじ穴内に螺合することで、フレームの材質の強度を維持し、生産量を上げるとともに、修理しやすくなる。
【０００６】
上述の公知眼鏡フレーム改良構造は、フレームの構造強度があがるメリットはあるが、めがねを長時間使用すると、フレームの人体と接触する場所は汗や熱気によりカビが発生しやすい、或いは溜まった汚れで臭いが生じる。特にフレームの外層に美観効果を出すために様々な色がつけられているが、それも長い間汗の侵蝕を受けると、人体に有害な有毒物質が生じる。また、テンプルの末端のモダンを少し内側に折り曲げると、より頭部に固定するが、長時間着ける場合、圧迫感が生じ、血流が悪くなるため、めまいを感じることがある。また、モダンは一般的に金属の材質で作られているため、夏になると、人間の体温がモダンに伝わるため、長時間使用する場合、暑く感じて不快感が生じる。一方冬になると、金属の冷たい感が寒気を催すなど、実用的ではなく、改良する必要がある。
【特許文献１】実用新案第M392854号
【考案の開示】
【考案が解決しようとする課題】
【０００７】
前記公知の眼鏡フレームがユーザーに与える不快適感あるいは人体に不利な欠点を解決するため、本考案は眼鏡フレームの改良構造を提供することを主な課題とする。
【課題を解決するための手段】
【０００８】
前記課題を解決するため、本考案はフレーム、パッド及び一対のテンプルを含む。該フレームの中段に柔らかいパッドを設け、フレームのパッドと反対側の両側は開口状を呈し、そこからレンズをはめ込む。フレームのパッドと同じ両側中央やや上方にブリッジを設ける。ユーザーが本体を使用する際、パッドが鼻筋の両側にあたり、適切に本体を上げ、レンズをユーザーの目の前に位置する。フレームの両端にテンプルを設置し、該テンプルはフレームの後方に細長く延伸する。テンプルの末端にモダンを設け、ユーザーが本体を使用する際、該モダンは耳の上部内側に位置する。パッド及びテンプルのモダンにより、本体は適切にユーザーの顔部にかけられ、レンズが目の前に位置する。
【０００９】
該フレームは第一層体及び第二層体を具有し、該第一層体は該第二層体と貼合し、第一層体は本体の内側に、第二層体は本体の外側に位置する。或いは該第一層体を本体の外側に、第二層体を本体の内側に設置する。或いは該第一層体の中に第二層体を包む形態であることが可能である。第一層体の材質はプラスティック或いは金属を使用し、第二層体は竹炭繊維或いはシルバー繊維の材質を用いる。
【００１０】
本体を使用する際、竹炭繊維は人体皮膚より流れ出た汗及び汚れに含まれる有害物質を吸着し、外界の有害化学物質を排除する特性を持つ。また、遠赤外線を放つことで、細胞を活性化し、血液の循環を促進する。よって、ユーザーは本体をつけると、元気百倍、頭脳明晰であると感じる。また、遠赤外線は温熱効果を具有し、人体の毛細血管の拡張を促進するため、ユーザーは温かく快適感を感じ、保温効果も具有する。
【００１１】
シルバー繊維の材質を具有する本体を使用する際、カビや微生物などを抗菌する効果を介し、皮膚と長時間接する箇所に汗が流れたことによりカビが発生し、かゆみ或いは癬などの慢性皮膚病を避けることができる。また、シルバー繊維はアンモニアを中和し、消臭効果の特性を持つため、ユーザーは快適に使用することができる。シルバー繊維は磁場を発生し、人体の血液循環を促進するため、長時間本体を着ける場合、頭がクラクラしないばかりか、頭脳明晰、思考回路がスムーズに働くと感じる。シルバー繊維は寒い時期に保温効果を、暑い時期に放熱効果を発揮するため、冬に暖かく夏に涼しく使用することができる実用性を兼ね備えた眼鏡フレーム改良構造である。
【考案の効果】
【００１２】
本考案は眼鏡テンプルの第二層体に竹炭繊維或いはシルバー繊維を使用することで、それぞれの繊維の持つ遠赤外線や抗菌性、保温効果、放熱効果及び消臭効果などの特性により、ユーザーは快適に使用することができる。
【考案を実施するための最良の形態】
【００１３】
図１及び図2が示すのは、本体(1)はフレーム(2)、パッド(3)及び一対のテンプル(4)を含み、該フレーム(2)の中段に柔らかい材質のパッド(3)を設置する。フレーム(2)のパッド(3)と反対側の両端は開口の状態を呈し、そこからレンズ(21)を嵌めこむ。フレーム(2)の中央やや上方にブリッジ(22)を設け、該ブリッジ(22)は両端が太くなるため、下方にややU字型アーチの形状を描く。ユーザーが本体(1)を着ける際、バッド(3)は鼻筋の両側に位置し、適切に本体(1)の位置を上げることで、レンズ(21)をユーザーの目の前に位置させる。また、該ブリッジ(22)は両側に太く、フレーム(2)の上方に位置することで、鼻の形状に更に合致し、パッド(3)によりフレームを上げることで、ブリッジ(22)は鼻と接触しない。本体(1)の重みは柔らかいパッド(3)を介し、均等に鼻筋の両側にかかるため、ブリッジ(22)は鼻に接触せず、ユーザーに使用時の不快感を与えない。また、フレーム(2)の両端にテンプル(4)を設置し、該テンプル(4)はフレーム(2)の後方に細長く延伸する。テンプル(4)の末端にモダン(41)を設け、該モダン(41)は下方へ滑らかなアーチ状を呈すため、ユーザーが本体(1)を使用する際、該テンプル(4)はユーザーの目の両サイドである頭部の両側に位置し、該モダン(41)は耳の上部内側に位置する。パッド(3)及びテンプル(4)のモダン(41)により、本体(1)は適切にユーザーの顔部にかけられ、レンズ(21)が目の前に位置する。
【００１４】
該テンプル(4)は第一層体(42)及び第二層体(43)を具有する。図1及び図2に示すのは、該第一層体(42)は該第二層体(43)と貼合し、且つ第一層体(42)は本体(1)の内側に位置し、第二層体(43)は本体(1)の外側に位置する。或いは図３及び図４に示す第二実施例では、該第一層体(42)は第二層体(43)を包み込む状態である。第一層体(42)の材質はプラスティック、第二層体(43)の材質は竹炭繊維或いはシルバー繊維である。
【００１５】
竹炭繊維は非常に細かい炭質構造であり、比重が大きい上に多孔の特性を持ち、鉱物質の含量も豊富であるために、強力な吸着分解パワーを具有する。空気中の硫化物、窒素化物、メタノール、ベンゼン、フェノール、クロロホルムなど有機汚染物或いは有害化学物質に対し、優秀な吸収及び消臭パワーを発揮することができる。また、竹炭繊維は皮膚及び髪の汚れや水道水に含まれる塩素を吸収することができる。塩素はたんぱく質の特性を具有するため、たんぱく質で構成する髪や皮膚が塩素を付着、吸収すると、頭髪は枝毛、フケ、かゆみ、脱毛、肌が乾燥、皺などの問題が起きる。また、竹炭繊維が放つ遠赤外線は90％にも達し、遠赤外線は水の分子を共振させ、水の分子が細胞膜を通過するのを助け、血液の酸素含有量を高めることで、細胞を活性化し、血液の循環を促進し、人体内部環境を改善する。遠赤外線自身が放射熱源の一つであるため、温熱効果を具有し、人体の毛細血管の拡張を促進することで、保温の効果に達する。よって、竹炭繊維材質を具有する本体(1)を身に着けると、吸着する特性を介し、人体の皮膚より流れ出た汗及び汚れなどの有害物質を吸着し、外界の有害化学物質を排除するとともに、放たれる遠赤外線により細胞を活性化し、血液の循環を促進するため、元気百倍、頭脳明晰感を感じる。また、遠赤外線の温熱効果及び人体の毛細血管の拡張を促進するため、ユーザーは温かく快適さを感じるとともに、保温効果も期待できる。
【００１６】
シルバー繊維は99.9％純度のシルバーで作られている天然の元素であり、人体あるいは自然環境に対し、ダメージを与える化学成分が含まれていない。毒性のない純度の高いシルバーにより、ユーザーはアレルギー反応が起きず、シルバー繊維は抗菌効果、消臭効果のダブル性能を持ち、異臭を放つアンモニアを中和する。シルバー繊維は保温効果及び放熱効果を合わせもつため、季節に関わらず使用できる。また、シルバー繊維は素晴らしい吸湿性を持つため、迅速に汗を蒸発し、皮膚表面を常に爽やかに保つ。学理的に電流が伝導媒介物を通過する際、自然に磁場が生じるのと同じように、体より出た電流がシルバー繊維の上に分布流動する際、体の局部周囲にも磁場を形成する。磁場は人体血液循環を促進し、むくみを減少することができる。よって、シルバー繊維の材質を具有する本体(1)を使用する際、カビや微生物などを抗菌する効果を介し、皮膚と長時間接する箇所に汗が流れたことによりカビが発生し、かゆみ或いは癬などの慢性皮膚病を避けることができる。また、シルバー繊維はアンモニアを中和し、消臭する特性を持つため、ユーザーは快適に使用することができる。シルバー繊維は磁場を生じ、人体の血液循環を促進させるため、長時間本体(1)を使用しても、頭がクラクラしないばかりか、頭脳明晰、思考回路がスムーズに働くと感じることができる。また、シルバー繊維は寒い時期に保温効果を、暑い時期に放熱効果を発揮するため、冬に暖かく夏に涼しく使用することができる。
【００１７】
図５から図１０に示すのは、本考案の眼鏡フレーム改良構造のその他の実施例である。主な部品は第一実施例と同じであるため、下記は異なる構造のみ説明する。
【００１８】
図５及び図６に示すのは第三実施例である。本体(1)及びテンプル(4)の第一層体(42)の材質を金属にし、該金属材質の第一層体(42)は第二層体(43)とともに本体(1)の外側に貼合する。
【００１９】
図７及び図８に示すのは第四実施例である。該テンプル(4)は金属材質である第一層体(42)の中に第二層体(43)を包む形態である。
【００２０】
本体(1)は強度或いは使用ニーズを鑑みて、第一実施例の該第一層体(42)をプラスティック材質に、或いは第二、第三実施例のように第一層体(42)を金属材質にすることができる。
【００２１】
図９及び図１０に示すのは第五実施例である。該第一層体(42)は本体(1)の内側に設置し、第二層体(43)は本体(1)の外側に設置することができる。
【００２２】
本考案は本体(1)のテンプル(4)に竹炭繊維或いはシルバー繊維材質で作る第二層体(43)を設け、その特性を利用し、本体(1)を使用する際、抗菌消臭、保温放熱効果及び血液循環を促進させる。人体に全くダメージを与えないと言っても過言ではない。ユーザーは本体(1)を着けることで、快適に健康になることができる。
【００２３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２４】
【図１】本考案の立体外観略図である。
【図２】本考案の局部拡大略図である。
【図３】本考案の第二実施例立体外観略図である。
【図４】本考案の第二実施例局部拡大略図である。
【図５】本考案の第三実施例立体外観略図である。
【図６】本考案の第三実施例局部拡大略図である。
【図７】本考案の第四実施例立体外観略図である。
【図８】本考案の第四実施例局部拡大略図である。
【図９】本考案の第五実施例立体外観略図である。
【図１０】本考案の第五実施例局部拡大略図である。
【符号の説明】
【００２５】
1  本体
2  フレーム
21  レンズ
22  ブリッジ
3  パッド
4  テンプル
41  モダン
42  第一層体
43  第二層体
【図１】
0003136079.tif 000003
【図２】
0003136079.tif 000004
【図３】
0003136079.tif 000005
【図４】
0003136079.tif 000006
【図５】
0003136079.tif 000007
【図６】
0003136079.tif 000008
【図７】
0003136079.tif 000009
【図８】
0003136079.tif 000010
【図９】
0003136079.tif 000011
【図１０】
0003136079.tif 000012